(57)【要約】【課題】鍼、灸、等に比べて、静電気は、刺激が弱い。シリコーンゴムチューブに帯電の静電気は、瞬間的には、１０KＶ以上のこともあるが、すぐに変化して数百Ｖになることもある、持続性がないことは、鍼，灸に比べて、ツボ刺激としては差が認められる、そこで、シリコーンゴムチューブに帯電の静電気を高めて、持続させることを課題とする。【解決手段】        樹脂製の枠によって簾状に形成された前記シリコーンゴムチューブ，両端端末を封止され環状に形成されたシリコーンゴムチューブ、又は、渦巻状に形成されたシリコーンゴムチューブと、前記シリコーンゴムチューブを保持するための毛糸、又は、アクリル毛糸によって編まれた編み物と、前記シリコーンゴムチューブを加熱する加熱機構を有することで解決。【選択図】    図１
2020039381.tif 000002
【特許請求の範囲】
【請求項１】
シリコーンゴムチューブの表面に帯電する静電気を利用する加熱式静電気によるツボ刺激健康具であって、樹脂製の枠によって簾状に形成された前記シリコーンゴムチューブ，両端端末を封止され環状に形成されたシリコーンゴムチューブ、又は、渦巻状に形成されたシリコーンゴムチューブと、前記シリコーンゴムチューブを保持するための毛糸、或いは、アクリル毛糸によって編まれた編み物と、前記シリコーンゴムチューブを加熱する加熱機構を有することを特徴とする加熱式静電気によるツボ刺激健康具。
【請求項２】
請求項１記載のシリコーンゴムチューブの表面に帯電する静電気を利用する加熱式静電気によるツボ刺激健康具であって、前記シリコーンゴムチューブを加熱する加熱機構が携帯用懐炉であることを特徴とする加熱式静電気によるツボ刺激健康具。
【請求項３】
請求項１記載のシリコーンゴムチューブの表面に帯電する静電気を利用する加熱式静電気によるツボ刺激健康具であって、前記シリコーンゴムチューブを加熱する加熱機構が、ドライヤーであることを特徴とする加熱式静電気によるツボ刺激健康具。
【発明の詳細な説明】
【技術分野】
【０００１】
本発明は、人体の各部位に存在すると言われているツボを刺激する方法と、其の方法を利用した、ツボ刺激健康具に関するものである。
【背景技術】
【０００２】
従来より、ツボを刺激し健康維持、病気予防、或いは、治療の方法として、鍼、お灸、指圧、磁気、遠赤外線照射等、色々の方法が採用、試みされているが、夫々に、特徴、欠点を持ち、万人に向くものは、一定していない。
特に、古代より、知られている、お灸、鍼、にかんしては、熱さ、痛さ等の外、ツボ自体を確実に認識できず、素人では、此れを行うことは、大変、難しい。
指圧に関しては一般的であるが此れも、ツボの中心を、探すことは難しく、磁気によるものも、磁石の付近の磁気による弊害も有る等の問題は拭いきれていない。
【０００３】
然し、鍼、お灸、指圧には、西洋医学では対処しがたい症状を治療できる力もある。
一部は医学的にも証明され始めて、特に、手指のツボ刺激のように、ツボを指圧することは、手軽で即効力もあるようだが、素人が、ツボを確実に探す事はかなり難しいことである。現在までに先行技術として、公開されている、ツボ刺激に関する文献には、下記の様なものが開示されている。遠赤外線が放射されマイナスイオンも効果的に生成することが出来ツボ刺激も可能なツボ刺激健康具。
（例えば、特許文献１参照）
ツボ刺激具を握ることで手指のツボを刺激する従来の方法に加えて身体のいろいろなツボの部分に突起球体を円状に動かせながら押し圧できるツボ刺激具。
（例えば、特許文献２参照）
【０００４】
静電気をシリコーンゴムチューブに（−）の静電荷を帯電、持続保持させた静電荷帯電具を使用した健康具。
本発明者が、５年前、特許取得した「静電荷帯電具としての健康具」であるが、欠点があり、実施化が、未だ、滞っている。
（例えば、特許文献３参照）
本発明者は、最近、その欠点を除いて改良した「電圧制御を備えたツボ刺激健康具」を、出願、  特許取得に至っておる。
（例えば、特許文献４参照）
【０００５】
現在も、市場には、ツボ押し具、ツボ刺激具、と称されるグッツ、書籍、手引書
等、数多く流通しているが、静電気によるものは、見当たらなかったが。
（例えば、非特許文献１）
最近、５０年ほど前の「まさつ（経穴）健康法」という書籍に、僅かな静電気を
利用するとの記載を探した。
（例えば  非文献２）
【先行技術文献】
【特許文献】
【０００６】
【特許文献１】特開２００２−３１５８１０号公報
【特許文献２】実用新案登録第３１４９６４５号公報
【特許文献３】特許第４９６０５２１号公報
【特許文献４】特許第６３４３０７８号公報
【非特許文献】
【０００７】
【非特許文献１】「クロワッサン=特別編集版」体のツボの大地図帖                      （  頁３２〜３４）
【非特許文献２】「まさつ（経穴）健康法」（１５ページ、１０行）                      株式会社青春出版社  蔡  一藩著
【発明の概要】
【発明が解決しようとする課題】
【０００８】
従来からある方法を並べてみると、静電気によるツボ刺激も従来の方法と肩を並べても良いのでは、何故、其れが、実用されていないか、考えてみると、そこには、問題があった。鍼、灸、等に比べて、静電気は、刺激が弱いシリコーンゴムチューブに帯電の静電気は、瞬間的には、１０KＶ以上のこともあるが、すぐに変化して数百Ｖになることもある、持続性がないことは、鍼，灸に比べて、ツボ刺激としては、差が認められる、そこで、シリコーンゴムチューブに帯電の静電気を高めて、持続させることを課題とした。その結果、シリコーンゴムチューブを加熱すると静電気の電圧が高くなり、持続性もよく、熱が冷めるまで、徐々に電圧も下がることを、取得した。
【課題を解決するための手段】
【０００９】
問題を解決するために本発明が採用した第１の課題解決技術手段はシリコーンゴムチューブの表面に帯電する静電気を利用する加熱式静電気によるツボ刺激健康具であって、樹脂製の枠によって簾状に形成された前記シリコーンゴムチューブ，両端端末を封止され環状に形成されたシリコーンゴムチューブ、又は、渦巻状に形成されたシリコーンゴムチューブと、前記シリコーンゴムチューブを保持するための毛糸、或いは、アクリル毛糸によって編まれた編み物と、前記シリコーンゴムチューブを加熱する加熱機構を有することで解決。
【００１０】
問題を解決するために本発明が採用した第２の課題解決技術手段はシリコーンゴムチューブの表面に帯電する静電気を利用する加熱式静電気によるツボ刺激健康具であって、樹脂製の枠によって簾状に形成された前記シリコーンゴムチューブ，又は、両端端末を封止され渦巻状に形成されたシリコーンゴムチューブを保持するための毛糸、或いは、アクリル毛糸によって編まれた編み物と、携帯用懐炉を有することで解決。
【００１１】
問題を解決するために本発明が採用した第３の課題解決手段は、シリコーンゴムチューブの表面に帯電する静電気を利用する加熱式静電気によるツボ刺激健康具であって、該シリコーンゴムチューブの中空部を、貫通するように、ゴム紐を通し、該ゴム紐の両端の端末を夫々結び、全体として、輪を形成しておる、該シリコーンゴムチューブの中空部には、放電管が挿入されており、該シリコーンゴムチューブの両端の端末は、ゴム紐を介して、アルミ栓、或いは、シリコーンゴムの栓にて、封止されており、手首、掌、に装着できるよう構成されていて、更に、該シリコーンゴムチューブの表面を、ドライヤーによって加熱する、又，手のひらによって摩擦することで、加熱することが出来るように構成された静電気によるツボ刺激健康具によって解決。
【発明の効果】
【００１２】
静電気によるツボ刺激は、痛み、熱さ等無く、ツボの周囲付近を広範囲に、
刺激して、素人でも簡単に、ツボを刺激することが出来る。本発明により、静電気の電圧を高め、持続性を長くすることで、鍼、お灸に匹敵する刺激を得ることが出来、従来より、其の効果が強調できることになった。シリコーンゴムチューブは、外部の刺激によって変化をするため、叩いたり、引っ張ることで、変化した刺激が得られるが、加熱する事でより高い静電気を得ることが出来、ツボに対して強い刺激を得ることが出来る。
尚、想定外の、突然の強い静電気が発生した場合でも、付属の放電素子が吸収、危険を除去することが出来るよう構成されている。
【図面の簡単な説明】
【００１３】
【図１】本発明の概観図（写真代用）
【図２】本発明の概観図＝裏面  （写真代用）
【図３】本発明の構成図
【図４】本発明の他の実施例２
【図５】本発明の他の実施例３
【発明を実施するための形態】
【００１４】
本発明は、発明者の特許査定受けた特許の改良である。
通常、静電気が（―）に帯電している、シリコーンゴムチューブを使用して
その帯電電圧で、ツボを刺激する。（特許４９６０５２１号）
この件案には、静電気の電圧を高める工夫はされてなかったので、その改良としての出願になる。
以下本発明の実施の形態を説明する。
【００１５】
通常生活の中で静電気という場合はプラスの電荷を指すが、物質は（＋）と（−）の静電気がバランスを保って安定しているが、摩擦によって（−）の電荷は離脱しやすく、（＋）の静電気だけが残って、「帯電状態」となる。（或る物理学者はこれもプラズマ現象と捉えている）静電気が身体に溜まると東洋医学でいう「気の流れを阻害」するため、自律神経のバランスが崩れ変調をきたすとも言われている。
静電気帯電の物質、を人体のツボと称される付近に、密着させて、その静電気によってツボを刺激するによって、（＋）の静電気漬けになった身体を（―）の大きな電荷で反対側に揺り戻すという効果も存在する。
【００１６】
シリコーンゴムチューブの表面は０．２KVから５KV程度の（−）に帯電しているが、時間の経過と共に減少の傾向にある、チューブの両端を塞ぎ、帯電する静電気の保持時間を延長させること、外周を他の物質で覆う等した場合、外部よりの圧力、引張り、など加わると、昇圧することもある。しかし持続性がなかった。今回、其の欠点を補うべく、加熱という方法で対処した。
【００１７】
図１は、アクリル毛糸からなる編み物、にシリコーンゴムチューブを取り付けたツボ刺激健康具で、人体に存在する、効果的なツボの付近にベルトなどを使用して装着する。結果、付近の血流を促し、此れだけでも、懐炉のように付近は暖かくなる。
其処で、アクリル毛糸の編み物のシリコーンゴムチューブの取り付けられた反対面に、携帯用懐炉を貼り付けることで、静電気の電圧は上昇して、その結果ツボ刺激も強力になる。温度が高い間は、静電気も高い電圧を維持している。
【００１８】
お臍の反対側に存在する「命門＝メイモン」は文字通り「命」の「門」という意味で生命力の中心でもあるツボ。元気が宿るところと言われ、生まれつき備わっている身体のエネルギー整え、丈夫にするツボでもある。元気のツボともいわれている。
この部位に、本発明の静電気によるツボ刺激健康具、を装着して元気を取り戻すと良い。
【００１９】
発明者が，過去出願の静電気によるツボ刺激健康具、においても、加熱することを付加して、効果がＵＰ，実施例として以下説明する。
【実施例１】
【００２０】
以下本発明の実施の形態を図１〜５図  に基づいて説明する。
図１は、本発明の静電気によるツボ刺激健康具の概観図で、アクリル毛糸で編まれた編み物にシリコーンゴムチューブを渦巻き状に形成し、前記編み物に取り付けられている、両端末は、ステンレス製の栓で封止され、内部に放電管が挿入され、背中の臍と反対部分に、ベルト、又は紐等にて装着することで、上記説明の「命門」、及び付近に存在するツボを刺激することが出来る。編み物には、紐を結ぶ為の輪が、左右に付属してある。
【００２１】
アクリル毛糸、は本来の毛糸でも良く、シリコーンゴムチューブの（−）との関係から、静電気帯電列で（＋）、或いは、零、付近に位置するものを使用したい。両端末がステンレス製、又はシリコーンゴムの栓で封止されているのは、皮膚に接触する場合を考慮している。
【００２２】
図２は、静電気によるツボ刺激健康具の概観図の裏面で、貼るタイプの携帯用使い捨てカイロを、アクリル毛糸からなる編み物のシリコーンゴムチューブの取り付けとは反対面に貼り付けてある。シリコーンゴムチューブの面を、人体に密着させることで目的のツボと共に、其の付近に静電気の刺激を印加することができる。
【００２３】
図３は、静電気によるツボ刺激健康具の構成図である。
アクリル毛糸によって編まれた編み物１、に渦巻き状に巻いて、両端末を、ステンレス栓、３−１，３−２、によって封止したシリコーンゴムチューブを５−１，５−２，５−３，５−４、と４箇所で、表面を繊維によって被覆した針金で、前記編み物に取り付けてある。シリコーンゴムチューブの中空部には、放電管が挿入されていて想定外の高圧の静電気が発生の場合、吸収することができる。
編み物の左右には、本体を人体に装着する際の紐を結ぶことが，出来る様になっている。
【実施例２】
【００２４】
図４は、樹脂製の枠によって簾状に形成されたシリコーンゴムチューブを、
貼るタイプの使い捨て懐炉に、貼り付けて樹脂製の枠のシリコーンゴムチューブの部分がツボ、又は其の付近に当たるよう、サポーター，等で装着する。
足の平の裏には、湧泉（ユウセン）と言うツボが存在する。
【実施例３】
【００２５】
図５は、過去出願した静電気によるツボ刺激健康具を加熱することで、効果UP
手指の親指、人差し指の間、手の掌、に装着のシリコンゴムチューブの輪を
摩擦して、加熱する事で、又は、ドライヤーで加熱することで、そこに存在のツボ、（合谷＝ゴウコク）、（労宮＝ロウキュウ）を刺激することは、有効である。
【符号の説明】
【００２６】
１  アクリル毛糸によって編まれた編み物
２  シリコーンゴムチューブ
３−１  ステンレス製栓−１
３−２  ステンレス製栓−２
４      放電管＝
５−１    固定用針金
５−２    固定用針金
５−３    固定用針金
５−４    固定用針金
６−１    固定用の紐を結ぶ輪（右）
６−２    固定用の紐を結ぶ輪（左）
【図１】
2020039381.tif 000003
【図２】
2020039381.tif 000004
【図３】
2020039381.tif 000005
【図４】
2020039381.tif 000006
【図５】
2020039381.tif 000007